(57)【特許請求の範囲】
【請求項１】
回線接続部と、モデム部と、誤り訂正通信（ＥＣＭ）時において、ＦＡＸデータを送出し、メッセージ確認情報（ＭＣＦ）を受信しないで、所定回以上エラーを示す信号を検出すると、通信速度を低下させ、全フレームエラーが発生していること、かつ通信速度が通信開始時の速度より低下していることを判定し、全フレームエラー発生で、通信速度が通信開始時の速度より低下している場合に、原稿１ページの終了でＰＰＳ−ＥＯＭ信号を送出し、通信速度を開始時の速度に戻す制御部とを備えたことを特徴とする通信端末装置。
【発明の詳細な説明】
【０００１】
【発明の属する技術分野】
この発明は、ファクシミリ装置等の通信端末装置に関する。
【０００２】
【従来の技術】
従来、ファクシミリ装置において、原稿画像を送信する際に、原稿画像を符号化し、所定データ量毎にフレーム化して送出し、エラーしたフレームを再送信することで、エラーがないことを実現するＥＣＭ通信を採用するものがある。
【０００３】
【発明が解決しようとする課題】
近年、ＩＳＤＮのＴＡ装置などを経由した通信で、定期的にエラーが発生するという問題がある。一方、ＥＣＭ通信では、エラー再送が所定回続くと、モデム速度を落として通信を継続させるので、エラーが入ると通信速度モデムの通信速度を低下させる。そのため、複数ページを送信する場合、前半の原稿で最低速度に落ちると、最後のページまで最低速度で送信するので、通信時間が異常に長くかかるという問題があった。
【０００４】
この発明は上記問題点に着目してなされたものであって、エラー再送を行っても、全体としての通信時間を必要以上に長くさせない通信端末装置を提供することを目的としている。
【０００５】
【課題を解決するための手段】
この発明の通信端末装置は、回線接続部と、モデム部と、誤り訂正通信（ＥＣＭ）時において、ＦＡＸデータを送出し、メッセージ確認情報（ＭＣＦ）を受信しないで、所定回以上エラーを示す信号を検出すると、通信速度を低下させ、全フレームエラーが発生していること、かつ通信速度が通信開始時の速度より低下していることを判定し、全フレームエラー発生で、通信速度が通信開始時の速度より低下している場合に、原稿１ページの終了でＰＰＳ−ＥＯＭ信号を送出し、通信速度を開始時の速度に戻す制御部とを備えている。
【０００６】
ＰＰＳ−ＥＯＭ信号を送出すると、受信機はＤＩＳ信号を送出する。ＤＩＳ信号には受信機の通信速度能力が含まれるので、ＤＣＳ信号（デジタル命令信号）で通信速度を再設定（落ちた速度を上げて速度設定）できる。
【０００７】
【発明の実施の形態】
以下、実施の形態により、この発明をさらに詳細に説明する。図１は、この発明が実施される複写機能付きファクシミリ装置の概略構成を示すブロック図である。このインターネット・ファクシミリ装置２１は、ＭＰＵ（制御部）１、ＲＯＭ２、ＲＡＭ３、画像メモリ（ＤＲＡＭ）４、操作パネル（操作部）５、各種データ等を表示する表示部６、バス７、ＮＣＵ８、モデム９、スキャナ１０、プリンタ（出力部）１１、ＣＯＤＥＣ１２、ＬＡＮＩ／Ｆ１３を備える。ここでは、ＲＯＭ２、ＲＡＭ３、画像メモリ４で記憶部が構成され、ＮＣＵ８、モデム９、ＣＯＤＥＣ１２、ＬＡＮ１／Ｆ１３で通信部が構成される。
【０００８】
ＭＰＵ１は、この装置２１を構成する各部を制御する。特に、誤り再送（ＥＣＭ）通信時において、１ページ送信終了時に、開始速度からモデム速度が低下している場合に、ＰＰＳ−ＥＯＭ信号を送出させる機能、送信速度を開始時の速度に戻すように制御する機能を有する。ＲＯＭ２は、この装置２１を制御するためのプログラムを記憶する。ＲＡＭ３は、データ等を一時的に記憶する。画像メモリ４は、受信画データやスキャナ１０で読み取った画データを一時的に記憶する。操作パネル５は、ユーザがＦＡＸ送信・受信、プリント等の指示をするためのものである。
【０００９】
ＮＣＵ８は、電話回線（ＰＳＴＮ）１４との接続を制御すると共に、相手先の電話番号（ＦＡＸ番号を含む）に対応したダイヤル信号の送出及び着信を検出するための機能を備えている。モデム９は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。スキャナ１０は、ＦＡＸ送信及びコピーをするときに原稿の画データを読み取る。プリンタ１１は、受信画データや、コピー動作においてスキャナ１０で読み取った原稿の画データを記録紙上に記録する。ＣＯＤＥＣ１２は、読み取った画データを送信するためにＭＨ、ＭＲ、ＭＭＲ方式等により符号化（エンコード）し、受信画データを復号（デコード）する。
【００１０】
ＬＡＮＩ／Ｆ１３は、インターネットを介して通信を行うため、ＬＡＮネットワーク１５に接続される。
【００１１】
次に、この実施形態ファクシミリ装置の送信時の処理動作を図２に示すフロー図を参照して説明する。処理が開始されると、ステップＳＴ１においては、ＤＩＳ（ディジタル識別信号）を受信したか否かを判定する。このＤＩＳは、被呼端末がＣＣＩＴＴ標準の受信機能を有することを示す信号である。このＤＩＳが被呼端末から送られて来て受信すると、ステップＳＴ２へ移行する。一方、ＤＩＳの受信がないと、ここではエラー終了する。
【００１２】
ステップＳＴ２においては、ＤＣＳ（デジタル命令信号）、ＴＣＦ（トレーニングチェック信号）送出後、ＣＦＲ（受信準備確認信号）を受信したか否かを判定する。ＴＣＦは、ファクシミリメッセージを受信するモデムのトレーニングを確かめ、この伝送速度でチャンネルが使用できるかどうかチェックするものであり、送信側から受信側に送る。ＣＦＲは、メッセージを送る前の手順が完了し、メッセージ送出を開始してよいことを示す応答信号である。ＣＦＲを受信した場合は、ステップＳＴ３へ移行する。一方、ＣＦＲを受信しない場合は、ステップＳＴ１４へ移行する。ステップＳＴ１４においては、３回トライしたか、つまりＴＣＦを３回送信したか判定する。３回まではステップＳＴ２へ戻り、ＴＣＦを送信するとともに、ＣＦＲを受信したか否かを判定する。３回トライしてもＣＦＲを受信できない場合は、エラー終了する。
【００１３】
ステップＳＴ３においては、ＦＡＸデータを送出し、次にステップＳＴ４へ移行する。ステップＳＴ４においては、ＰＰＳ−×××（ＰＰＳ：パーシャル・ページ・シグナル）を送出する。ここで×××はＭＰＳ、ＮＵＬＬなどである。次にステップＳＴ５へ移行する。ステップＳＴ５においては、ＭＣＦ（メッセージ確認信号）を受信したか否かを判定する。ＭＣＦは、ＭＰＳ、ＥＯＭ、ＥＯＰの肯定応答でメッセージが完全に受信されたことを示す信号である。ＭＣＦ受信の場合は、ステップＳＴ６へ移行する。一方、ＭＣＦが受信でない場合は、ステップＳＴ８へ移行する。
【００１４】
ステップＳＴ６において、ＰＰＳ・ＭＰＳ（マルチページ信号）を送出したか否か判定する。ＭＰＳは、ファクシミリメッセージのページ終了を意味し、フェーズＣの始めに手順が戻ることを示す。したがって、ＰＰＳ・ＭＰＳを送出すると、ステップＳＴ３へ戻り、次のＦＡＸデータ送出に移る。一方、ＰＰＳ・ＭＰＳの送出でない場合は、ステップＳＴ７へ移行する。ステップＳＴ７においては、ＰＰＳ・ＥＯＭ（メッセージ終了信号）を送出したか否かを判定する。ＥＯＭは、ファクシミリメッセージのページ終了を示し、フェーズＢの始めに手順が戻ることを示す。したがって、ＰＰＳ・ＥＯＭを送出すると、ステップＳＴ１に戻る。一方、ＰＰＳ・ＥＯＭが受信でない場合は、送信を終了する。ＰＰＳ−ＥＯＭ信号を送出すると、受信機はＤＩＳ信号を送出する。ＤＩＳ信号には受信機の通信速度能力が含まれるので、ＤＣＳ信号で通信速度を再設定（落ちた速度を上げて速度設定）できる。
【００１５】
ステップＳＴ８においては、４回ＰＰＲ（パーシャル・ページ・レスポンス）か否か判定する。ＰＰＲはエラーが出たことを示す信号である。４回ＰＰＲであると、ステップＳＴ９へ移行する。一方、４回ＰＰＲでない場合は、ステップＳＴ９をスキップして、ステップＳＴ１０へ移行する。ステップＳＴ９においては、ＣＴＣ（訂正続行信号）を送出し、通信速度を１段階低下（Ｆａｌｌ  ｂａｃｋ）させる。つまり、送信速度を最低速度に落とす。そして、ステップＳＴ１０へ移行する。ステップＳＴ１０においては、誤りフレームを送出する。そして、次にステップＳＴ１１へ移行する。
【００１６】
ステップＳＴ１１においては、全フレームエラーが発生し、かつＣＴＣによるＦａｌｌ  ｂａｃｋを実施済みか否かを判定する。全フレームエラー発生でＣＴＣによるＦａｌｌ  ｂａｃｋを実施済みの場合は、ステップＳＴ１２へ移行する。一方、実施済みでない場合は、ステップＳＴ４へ戻る。ステップＳＴ１２においては、先の送出信号がＰＰＳ・ＭＰＳか否かを判定する。ＰＰＳ・ＭＰＳであれば、ステップＳＴ１３へ移行する。一方、先の送出信号がＰＰＳ・ＭＰＳでない場合は、ステップＳＴ４へ戻る。ステップＳＴ１３においては、ＰＰＳ・ＥＯＭを送出し、ステップＳＴ１へ戻る。そして、次ページからは送信開始時の速度に戻して、送信を行う。
【００１７】
この発明によれば、回線接続部と、モデム部と、誤り訂正通信（ＥＣＭ）時において、ＦＡＸデータを送出し、メッセージ確認情報（ＭＣＦ）を受信しないで、所定回以上エラーを示す信号を検出すると、通信速度を低下させ、全フレームエラーが発生していること、かつ通信速度が通信開始時の速度より低下していることを判定し、全フレームエラー発生で、通信速度が通信開始時の速度より低下している場合に、原稿１ページの終了でＰＰＳ−ＥＯＭ信号を送出し、通信速度を開始時の速度に戻す制御部とを備えており、１ページ送信終了時に、全フレームエラーが発生した場合に、ＰＰＳ−ＥＯＭを送出するので、異常なエラー、例えばＴＡ等による必ず起きるエラーである場合に対応できる。
【００１８】
また、１ページ送信終了時に全フレームエラーが発生していた場合に、ＰＰＳ−ＥＯＭを送出するので、異常なエラー、例えばＴＡなどによる必ず定期的に起こるエラーで通信速度が遅くなる場合でも、同様に次ページ開始時に速度を戻すので、通信時間を削減できる。
【図面の簡単な説明】
【図１】この発明が実施されるファクシミリ装置の構成を示すブロック図である。
【図２】同実施形態ファクシミリ装置の送信処理を説明するフロー図である。
【符号の説明】
１            ＭＰＵ
２            ＲＯＭ
３            ＲＡＭ
４            画像メモリ
５            操作パネル
６            表示部
７            バス
８            ＮＣＵ
９            モデム
１０          スキャナ
１１          プリンタ
１２          ＣＯＤＥＣ
１３          ＬＡＮＩ／Ｆ
１４          電話回線
１５          インターネット
【図１】
0003690284.tif 000002
【図２】
0003690284.tif 000003